(57)【要約】      （修正有）【課題】簡易な構成で、壁面に被壁掛け部材を確実に固定できる壁掛け構造を提供する。【解決手段】壁掛け構造は、壁掛け具１に被壁掛け部材２を着脱自在に係合固定する。壁掛け具１は、フック部１０と、フック部１０の下方に延在した基台部１３とを備え、被壁掛け部材２は、フック部１０に係合する係合部２１を備えた取付け部２０と、取付け部２０に固着した板状体２５とを備え、フック部１０に取付け部２０を嵌着した状態で、基台部１３の背面と、取付け部の背面とが面一に形成されると共に、取付け部２０が壁面９８に当接固定される。嵌着した状態において、基台部１３の前面は、板状体２５の背面２５ａと当接する係止面１５ａを有する。基台部１３は、壁面９８に対して壁掛け具１が、押しピン９０により着脱容易である薄肉部１４と、固着具により固着可能である厚肉部１５とからなる。【選択図】図３
0003203238.tif 000002
【実用新案登録請求の範囲】
【請求項１】
壁掛け具に被壁掛け部材を着脱自在に係合固定する壁掛け構造であって、
前記壁掛け具は、フック部と、該フック部の下方に延在した基台部とを備え、
前記被壁掛け部材は、前記フック部に係合する係合部を備えた取付け部と、該取付け部に固着した板状体とを備え、
前記フック部に前記取付け部を嵌着した状態で、前記基台部の背面と、前記取付け部の背面とが面一に形成されると共に、該取付け部が壁面に当接固定されることを特徴とする壁掛け構造。
【請求項２】
前記嵌着した状態において、前記基台部の前面は、前記板状体の背面と当接する係止面を有する請求項１に記載の壁掛け構造。
【請求項３】
前記フック部は、上方に向かって凸設形成され、前記係合部は、下方に向かって凹設形成されている請求項１又は２に記載の壁掛け構造。
【請求項４】
前記壁掛け具は、壁面に沿って水平方向に長尺に形成され、
前記フック部が、前記基台部から上方に向かって壁面から離れるように傾斜し
た断面尖端状に形成され、前記係合部が、該フック部に挿着されるように開口した断面Ｖ字状に形成されている請求項３に記載の壁掛け構造。
【請求項５】
前記フック部は、上方に向かって凹設形成され、前記係合部は、下方に向かって凸設形成されている請求項１又は２に記載の壁掛け構造。
【請求項６】
前記壁掛け具は、壁に沿って水平方向に長尺に形成され、
前記フック部が、基台部から上方に向かって開口した断面Ｖ字状に形成され、
前記係合部が、該フック部に挿着するように断面尖端状に形成されている請求項５に記載の壁掛け構造。
【請求項７】
前記基台部は、壁面に対して壁掛け具が、押しピンにより着脱容易である薄肉部と、固着具により固着可能である厚肉部とからなる請求項１乃至６のうちのいずれか１項に記載の壁掛け構造。
【請求項８】
被壁掛け部材が、額縁、看板、掲示板、又は棚である請求項１乃至７のうちのいずれか１項に記載の壁掛け構造。
【考案の詳細な説明】
【技術分野】
【０００１】
本考案は、壁掛け構造に関する。
【背景技術】
【０００２】
従来、額縁などの被壁掛け部材を壁面に固定するには、額縁の上端部左右を紐で固定し、その紐を中央上方に設けた固定ピンで吊るす構造が通常である。
しかしながら、固定ピン上の紐がずれる場合があり、又壁面に額縁の背面が当接固定しがたいため、壁面から浮いた状態となって、不安定なものとなりやすい。
ここで、壁掛け構造にかかる技術が開示されている（例えば、特許文献１参照。）。
【０００３】
特許文献１に記載の壁掛け構造は、被壁掛け部材に取付けられた壁掛け具と、壁面に設けられた壁面側壁掛け具とを用いている。
そして、壁面側取付け部は、上方に向かって折り曲げられた掛止部と、被壁掛け部材側に突出して設けられた第１爪部とを有している。
また、被壁掛け部材側の取付け部は、下方に向かって折り曲げられた被掛止部と、壁面側に向かって突出して設けられた第２爪部とを有している。
このため、被壁掛け部材が持ち上げられた場合に、第２爪部の上面が第１爪部の下面に当接し、被壁掛け部材が壁面から脱落が防止される構成となっている。
また、被壁掛け部材と壁面との間に大きな隙間を生じない構成となっている。
【先行技術文献】
【特許文献】
【０００４】
【特許文献１】特開２００５−７９４６９号公報
【考案の概要】
【考案が解決しようとする課題】
【０００５】
しかしながら、上述の構成は、やや複雑であり、依然として被壁掛け部材と壁面との間に隙間を生じている。
【０００６】
本考案はかかる従来の問題点に鑑みてなされたものであり、簡易な構成で、壁面に被壁掛け部材を確実に固定することができる壁掛け構造を提供するものである。
【課題を解決するための手段】
【０００７】
本考案は、以下の通りである。
１．壁掛け具に被壁掛け部材を着脱自在に係合固定する壁掛け構造であって、
前記壁掛け具は、フック部と、該フック部の下方に延在した基台部とを備え、
前記被壁掛け部材は、前記フック部に係合する係合部を備えた取付け部と、該取付け部に固着した板状体とを備え、
前記フック部に前記取付け部を嵌着した状態で、前記基台部の背面と、前記取付け部の背面とが面一に形成されると共に、該取付け部が壁面に当接固定されることを特徴とする壁掛け構造。
２．前記嵌着した状態において、前記基台部の前面は、前記板状体の背面と当接する係止面を有する１．に記載の壁掛け構造。
３．前記フック部は、上方に向かって凸設形成され、前記係合部は、下方に向かって凹設形成されている１．又は２．に記載の壁掛け構造。
４．前記壁掛け具は、壁面に沿って水平方向に長尺に形成され、
前記フック部が、前記基台部から上方に向かって壁面から離れるように傾斜し
た断面尖端状に形成され、前記係合部が、該フック部に挿着されるように開口した断面Ｖ字状に形成されている３．に記載の壁掛け構造。
５．前記フック部は、上方に向かって凹設形成され、前記係合部は、下方に向かって凸設形成されている１．又は２．に記載の壁掛け構造。
６．前記壁掛け具は、壁に沿って水平方向に長尺に形成され、
前記フック部が、基台部から上方に向かって開口した断面Ｖ字状に形成され、
前記係合部が、該フック部に挿着するように断面尖端状に形成されている５．に記載の壁掛け構造。
７．前記基台部は、壁面に対して壁掛け具が、押しピンにより着脱容易である薄肉部と、固着具により固着可能である厚肉部とからなる１．乃至６．のうちのいずれか１項に記載の壁掛け構造。
８．被壁掛け部材が、額縁、看板、掲示板、又は棚である１．乃至７．のうちのいずれか１項に記載の壁掛け構造。
【考案の効果】
【０００８】
１．本考案の壁掛け構造において、壁掛け具は、フック部と、基台部とを備え、
被壁掛け部材は、フック部に係合する係合部を備えた取付け部と、板状体とを備えているため、簡易な構成である。そして、フック部に取付け部を嵌着した状態で、基台部の背面と、取付け部の背面とが面一に形成されると共に、取付け部が壁面に当接固定されるため、壁面に被壁掛け部材を確実に固定することができる。
２．嵌着した状態において、基台部の前面は、板状体の背面と当接する係止面を有していれば、更に確実に壁面に被壁掛け部材を固定することができる。
３．フック部が、上方に向かって凸設形成され、係合部は、下方に向かって凹設形成されていれば、効果的に壁面に被壁掛け部材を固定することができる。
４．壁掛け具が、壁面に沿って水平方向に長尺に形成され、フック部が、基台部から上方に向かって壁面から離れるように傾斜した断面尖端状に形成され、係合部が、フック部に挿着されるように開口した断面Ｖ字状に形成されている場合には、挿着しやすく、更に効果的に壁面に被壁掛け部材を固定することができる。
５．フック部が、上方に向かって凹設形成され、前記係合部は、下方に向かって凸設形成されている場合にも、効果的に壁面に被壁掛け部材を確実に固定することができる。
６．壁掛け具が、壁に沿って水平方向に長尺に形成され、フック部が、基台部から上方に向かって開口した断面Ｖ字状に形成され、係合部が、フック部に挿着するように断面尖端状に形成されている場合には、挿着しやすく、更に効果的に壁面に被壁掛け部材を固定することができる。
７．基台部は、壁面に対して壁掛け具が、押しピンにより着脱容易である薄肉部と、固着具により固着可能である厚肉部とからなる場合には、一時的な取付けと、固定した取付けとを使い分けることができて便利である。
８．被壁掛け部材が、額縁、看板、掲示板、又は棚である場合には、特に本考案の壁掛け構造が有用である。
【図面の簡単な説明】
【０００９】
【図１】実施形態１の壁掛け構造に係り、壁面側から見た斜視図である。
【図２】図１の要部の斜視断面図である。
【図３】実施形態１の壁掛け構造に係り、（ａ）壁掛け具に、被壁掛け部材を取付けた状態を示す断面図、（ｂ）壁掛け具に、被壁掛け部材を取付ける様子を示す断面図である。
【図４】実施形態１の壁掛け構造に係り、被壁掛け部材を正面側から見た斜視図である。
【図５】実施形態２の壁掛け構造に係り、被壁掛け部材としての棚を正面側から見た斜視図である。
【図６】実施形態３の壁掛け構造に係り、（ａ）壁掛け具に、被壁掛け部材を取付けた状態を示す断面図、（ｂ）壁掛け具に、被壁掛け部材を取付ける様子を示す断面図である。
【図７】実施形態４の壁掛け構造に係り、（ａ）壁掛け具に、被壁掛け部材を取付けた状態を示す断面図、（ｂ）壁掛け具に、被壁掛け部材を取付ける様子を示す断面図である。
【図８】実施形態５の壁掛け構造に係り、（ａ）壁掛け具に、被壁掛け部材を取付けた状態を示す断面図、（ｂ）壁掛け具に、被壁掛け部材を取付ける様子を示す断面図である。
【考案を実施するための形態】
【００１０】
本考案に係る壁掛け構造を具体化した実施形態を図面に基づいて以下に説明する。
［実施形態１］
実施形態１に係る壁掛け構造は、図１、図４に示すように、壁掛け具１に被壁掛け部材２としての額縁を取付けた例である。
壁掛け具１は、図３に示すように、フック部１０と、フック部１０の下方に延在した基台部１３とを備えている。
更に具体的には、壁掛け具１は、壁面に沿って水平方向に長尺に形成され、フック部１０が、基台部１３から上方に向かって壁面９８から離れるように傾斜した断面尖端状に形成されている。
【００１１】
基台部１３は、壁面９８に対して壁掛け具１が、押しピンにより着脱容易である薄肉部１４と、固着具により固着可能である厚肉部１５とからなる。こうすることで、一時的な取付けと、固定した取付けとを使い分けることができて便利である。ここで、固着具とは、螺子、釘、螺子釘などの固着するための部材である。
図１、図３に示すように、本実施形態１においては、薄肉部１４に穿設した３つの小孔１４ｈそれぞれに押しピン９０を挿入して壁面９８に一時的に取付けている。
また、厚肉部１５に穿設した２つの中孔１５ｈそれぞれに固着具を挿着して固定した取付けにすることもできる。
【００１２】
被壁掛け部材２は、壁掛け具１に着脱自在に係合固定する部材であり、フック部１に係合する係合部２１を備えた取付け部２０と、取付け部２０に固着した板状体２５とを備えている。
係合部２１が、フック部１０に挿着されるように開口した断面Ｖ字状に形成されている。こうすることで、挿着しやすく、更に効果的に壁面９８に被壁掛け部材２を固定することができる。
そして、フック部１０に係合部２１を嵌着した状態で、基台部１３の背面１３ａと、取付け部２０の背面２０ａとが面一に形成されると共に、取付け部２０が壁面９８に当接固定される。こうすることで、壁面９８に被壁掛け部材２としての額縁を確実に固定することができる。
【００１３】
また、嵌着した状態において、基台部１３の前面は、板状体２５の背面２５ａと当接する係止面１５ａを有している。このため、更に確実に壁面に被壁掛け部材を固定することができる。
本実施形態１は、被壁掛け部材２が額縁であるため、周縁部を形成する４辺からなる枠体が、取付け部２０を形成しているため、４辺のうちのいずれの向きに対しても、壁掛け具１に取付け部２０を挿着可能である。なお、１辺〜３辺にのみ挿着可能な取付け部２０を備えることもできる。
【００１４】
板状体２５は、図４に示すように額縁としての展示面となる。板状体２５に直接絵画等を描くこともできるが、板状体２５に絵画、装飾紙を貼付したり、絵柄を描いた布などを覆設して使用することもできる。
【００１５】
［実施形態２］
実施形態２に係る壁掛け構造は、図５に示すように、被壁掛け部材２の板状体２５に対して垂直に横板９５を固着して棚として使用した例である。横板９５上に小物などを陳列してディスプレイとしても使用できる。
実施形態１の壁掛け具１及び被壁掛け部材２はそのまま用いているため、その構成及び作用効果は前述の通りである。
【００１６】
［実施形態３］
実施形態３に係る壁掛け構造は、図６に示すように、壁掛け具３と被壁掛け部材４とからなる。
壁掛け具３は、上方に向かって凸設形成されたフック部３０と、フック部３０の下方に延在した基台部３３とを備えている。
【００１７】
基台部３３は、壁面９８に対して壁掛け具１が、押しピン９０により着脱容易である薄肉部３４と、固着具により固着可能である厚肉部３５とからなる。
本実施形態３においては、薄肉部３４に穿設した３４ｈに押しピン９０を挿入して壁面９８に固定している。厚肉部３５に穿設した中孔３５ｈに固着具を挿着して固定した取付けにすることもできる。
【００１８】
被壁掛け部材４は、フック部３０に係合し、下方に向かって凸設形成された係合部４１を備えた取付け部４０と、取付け部４０に固着した板状体２５とを備えている。
そして、フック部３０に係合部４１を嵌着した状態で、基台部３３の背面３３ａと、取付け部４０の背面４０ａとが面一に形成されると共に、取付け部４０が壁面９８に当接固定される。
【００１９】
また、嵌着した状態において、基台部３３の前面は、板状体２５の背面２５ａと当接する係止面３５ａを有している。
実施形態３の壁掛け構造に係るその他の構成及び作用効果は、実施形態１と同様であり、前述した通りである。
【００２０】
［実施形態４］
実施形態４に係る壁掛け構造は、図７に示すように、壁掛け具５と被壁掛け部材６とからなる。
壁掛け具５は、図７に示すように、フック部５０と、フック部５０の下方に延在した基台部５５とを備えている。
更に具体的には、壁掛け具５は、壁面９８に沿って水平方向に長尺に形成され、
フック部５０が、基台部５５から上方に向かって開口した断面Ｖ字状に形成されている。
基台部５５は、穿設した孔に螺子釘９３を挿着して壁面９８に固定している。
【００２１】
被壁掛け部材６は、フック部５０に係合する係合部６１を備えた取付け部６０と、取付け部６０に固着した板状体２５とを備えている。この係合部６１が、フック部５０に挿着するように断面尖端状に形成されている。
そして、フック部５０に係合部６１を嵌着した状態で、基台部５５の背面５５ｂと、取付け部６０の背面６０ａとが面一に形成されると共に、取付け部６０が壁面９８に当接固定される。
【００２２】
また、嵌着した状態において、基台部５５の前面は、板状体２５の背面２５ａと当接する係止面５５ａをなしている。
実施形態４の壁掛け構造に係るその他の構成及び作用効果は、実施形態１と同様であり、前述した通りである。
【００２３】
［実施形態５］
実施形態５に係る壁掛け構造は、図８に示すように、壁掛け具７と被壁掛け部材８とからなる。
壁掛け具７は、上方に向かって凹設形成されたフック部７０と、フック部７０の下方に延在した基台部７５とを備えている。
基台部７５は、穿設した孔に螺子釘９３を挿入して壁面９８に固定されている。
【００２４】
被壁掛け部材８は、フック部７０に係合し、下方に向かって凸設形成された係合部８１を備えた取付け部８０と、取付け部８０に固着した板状体２５とを備えている。
そして、フック部８０に係合部８１を嵌着した状態で、基台部７５の背面７５ｂと、取付け部８０の背面８０ａとが面一に形成されると共に、取付け部８０が壁面９８に当接固定される。
【００２５】
また、嵌着した状態において、基台部７５の前面は、板状体２５の背面２５ａと当接する係止面７５ａを有している。
実施形態５の壁掛け構造に係るその他の構成及び作用効果は、実施形態１と同様であり、前述した通りである。
【符号の説明】
【００２６】
１、３、５、７；壁掛け具、２、４、６、８；被壁掛け部材、１０、３０、５０、７０；フック部、１３、３３、５５、７５；基台部、１３ａ、３３ａ、５５ｂ、７５ｂ；基台部の背面、１４、３４；薄肉部、１５、３５；厚肉部、１５ａ、３５ａ、５５ａ、７５ａ；係止面、２０、４０、６０、８０；取付け部、２０ａ、４０ａ、６０ａ、８０ａ；取付け部の背面、２１、４１、６１、８１；係合部、２５；板状体、２５ａ；板状体の背面、９０；押しピン、９３；固着具、９８；壁面
【図１】
0003203238.tif 000003
【図２】
0003203238.tif 000004
【図３】
0003203238.tif 000005
【図４】
0003203238.tif 000006
【図５】
0003203238.tif 000007
【図６】
0003203238.tif 000008
【図７】
0003203238.tif 000009
【図８】
0003203238.tif 000010